(57)【要約】【課題】通常撮影モード又はメモリー撮影モードで動作する放射線撮影装置において、撮影モードの切り替えをより確実に行えるようにする。【解決手段】外部から放射線を受けることで放射線画像の画像データを生成する画像生成手段と、生成した画像データを記憶することが可能な画像記憶手段と、外部の装置と通信することが可能な通信手段と、画像生成手段を通常撮影モード又はメモリー撮影モードで動作させることが可能な動作制御手段と、複数種類の所定条件がそれぞれ成立したか否かを並行して判断することが可能な条件判断手段と、を備え、動作制御手段は、通常撮影モードにおいて複数の所定条件の少なくともいずれかが成立したと判断したことに基づいて、通常撮影モードからメモリー撮影モードへ切り替える。【選択図】図５
2019126523.tif 000002
【特許請求の範囲】
【請求項１】
外部から放射線を受けることで放射線画像の画像データを生成する画像生成手段と、
前記画像生成手段が生成した前記画像データを記憶することが可能な画像記憶手段と、
外部の装置と通信することが可能な通信手段と、
前記画像生成手段を、前記外部の装置から制御信号を受信したことに基づいて前記画像データを生成する通常撮影モード、又は放射線を検出したことに基づいて自動的に画像データを生成するメモリー撮影モードで動作させることが可能な動作制御手段と、
複数種類の所定条件がそれぞれ成立したか否かを並行して判断することが可能な条件判断手段と、を備え、
前記動作制御手段は、前記通常撮影モードにおいて複数の所定条件のうちの少なくともいずれかが成立したと前記条件検知手段が判断したことに基づいて、前記画像生成手段の動作モードを、前記通常撮影モードから前記メモリー撮影モードへ切り替えることを特徴とする放射線撮影装置。
【請求項２】
前記動作制御手段は、前記メモリー撮影モードにおいて前記所定条件とは異なる他の所定条件が成立したと前記条件判断手段が判断したことに基づいて、前記画像生成手段の動作モードを、前記メモリー撮影モードから前記通常撮影モードへ切り替えることを特徴とする請求項１に記載の放射線撮影装置。
【請求項３】
ユーザーが操作可能な操作手段を備え、
前記動作制御手段は、前記所定条件又は前記他の所定条件が成立していないと前記条件判断手段が判断した場合であっても、前記操作手段に所定操作がなされたことに基づいて撮影モードを切り替えることが可能であることを特徴とする請求項１又は２に記載の放射線撮影装置。
【請求項４】
放射線を発生させる放射線照射装置と、
請求項１から３のいずれか一項に記載の放射線撮影装置と、
前記放射線撮影装置から有線又は無線にて画像データを受信することが可能なコンソールと、を備えることを特徴とする放射線撮影システム。
【発明の詳細な説明】
【技術分野】
【０００１】
本発明は、放射線撮影装置及びこの装置を備える放射線撮影システムに関する。
【背景技術】
【０００２】
放射線を発生させる放射線照射装置、及び放射線を受けることで放射線画像の画像データを生成する撮影装置を用いて放射線撮影を行うには、これらに制御装置（コンソール）を有線又は無線で接続し、コンソールから各装置へ所定の制御信号を送信する必要があった。すなわち、従来の放射線撮影システムは、制御装置を備えることが前提の構成となっていた。
しかし、このようなコンソールの存在が前提となる放射線撮影システムは、コンソールが起動していない場合や、システムとコンソールとの間の通信ネットワークに異常がある場合等には撮影を行うことができない。
【０００３】
このため、近年は、例えば特許文献１に開示されているように、制御装置からの制御信号に基づいて撮影を行うスレイブモードと、制御装置からの制御信号が受信できなくても自動で放射線を検知して撮影を行うスタンドアロンモードのいずれかの動作モードで動作する機能、及び制御装置と撮影装置との通信状態を監視し続ける機能を有し、通信状態が悪化した場合に、撮影装置の動作モードを、スタンドアロンモードに切り替える撮影装置が提案されている。
また、特許文献１には、撮影装置に設けられたスイッチが操作されたことに基づいて、撮影モードを切り替えることについても開示されている。
このようにすれば、通信状態の悪化により制御装置が撮影装置を制御することができなくなった場合でも撮影を継続することができる。
【先行技術文献】
【特許文献】
【０００４】
【特許文献１】特開２０１６−２１４４０１号公報
【発明の概要】
【発明が解決しようとする課題】
【０００５】
特許文献１に記載された撮影装置は、制御装置との通信状態のみに基づいて動作モードを自動的に切り替えるようになっている。このため、この装置を用いた撮影では、例えば、撮影装置が撮影を行う部屋の隣の部屋に置いてある、当該撮影に使用しない制御装置と通信してしまい、本来はスタンドアロンモードで撮影するつもりが、スレイブモードで撮影が行われ、撮影が無駄になってしまう、といった事態が生じ得る。
また、スイッチの操作に基づいて動作モードを切り替えるためには、所望の動作モードにて撮影を行うための条件が整っているか否かをユーザー自身が判断する必要がある。このため、例えば制御装置が近傍にあることを理由にスレイブモードに設定して撮影を行ったものの、実は制御装置が通信できない状態であったために撮影が無駄になってしまった、といった事態が生じ得る。
【０００６】
本発明は、上記課題に鑑みてなされたものであり、外部の装置から制御信号を受信したことに基づいて画像データを生成する通常撮影モード、又は放射線を検出したことに基づいて自動的に画像データを生成するメモリー撮影モードで動作する放射線撮影装置において、撮影モードの切り替えをより確実に行えるようにすることを目的とする。
【課題を解決するための手段】
【０００７】
上記課題を解決するため、本発明の放射線撮影装置は、
外部から放射線を受けることで放射線画像の画像データを生成する画像生成手段と、
前記画像生成手段が生成した前記画像データを記憶することが可能な画像記憶手段と、
外部の装置と通信することが可能な通信手段と、
前記画像生成手段を、前記外部の装置から制御信号を受信したことに基づいて前記画像データを生成する通常撮影モード、又は放射線を検出したことに基づいて自動的に画像データを生成するメモリー撮影モードで動作させることが可能な動作制御手段と、
複数種類の所定条件がそれぞれ成立したか否かを並行して判断することが可能な条件判断手段と、を備え、
前記動作制御手段は、前記通常撮影モードにおいて複数の所定条件のうちの少なくともいずれかが成立したと前記条件検知手段が判断したことに基づいて、前記画像生成手段の動作モードを、前記通常撮影モードから前記メモリー撮影モードへ切り替えることを特徴とする。
【発明の効果】
【０００８】
本発明によれば、撮影モードの切り替えをより確実に行うことができる。
【図面の簡単な説明】
【０００９】
【図１】本発明の実施形態に係る放射線撮影システムの概略構成を表すブロック図である。
【図２】図１の放射線撮影システムが備える放射線撮影装置の斜視図である。
【図３】図２の放射線撮影装置の電気的構成を表すブロック図である。
【図４】図２の放射線撮影装置が備える操作手段の一例を示した図である。
【図５】図２の放射線撮影装置が実行する処理のフローチャートである。
【図６】同実施形態の変形例に係る放射線撮影装置が実行する処理のフローチャートである。
【図７】図２の放射線撮影装置の撮影モードを切り替える他の所定条件を説明する図である。
【図８】図２の放射線撮影装置が備える操作手段の一例を示した図である。
【図９】同実施形態の実施例１に係る放射線撮影装置が実行する処理のフローチャートである。
【図１０】実施例１の変形例に係る放射線撮影装置が実行する処理のフローチャートである。
【図１１】図２の放射線撮影装置が備えるドット表示部の一例を表す図である。
【図１２】同実施形態の実施例４に係る放射線撮影装置が実行する処理のフローチャートである。
【図１３】図２の放射線撮影装置が備えるドット表示部の一例を表す図である。
【発明を実施するための形態】
【００１０】
以下、本発明の実施の形態について、図面を参照しながら説明する。しかし、本発明は、図面に図示されたものに限定されるものではない。
【００１１】
〔放射線撮影システムの構成〕
まず、本実施形態に係る放射線撮影システムの概略構成について説明する。図１は、本実施形態の放射線撮影システム１００の構成を表すブロック図である。
本実施形態の放射線撮影システム１００は、図１に示したように、放射線照射装置１、放射線撮影装置（以下、撮影装置２と称す。）、コンソール３等で構成されている。
また、放射線撮影システム１００は、放射線科情報システム（Radiology Information System：ＲＩＳ）、画像記憶通信システム（Picture Archiving and Communication System：ＰＡＣＳ）等と接続することが可能となっている。
【００１２】
放射線照射装置１は、放射線を発生させるものであり、ジェネレーター１１、曝射スイッチ１２、放射線源１３等を備えている。
ジェネレーター１１は、曝射スイッチ１２が操作されたことに基づいて、予め設定された放射線照射条件（管電圧や管電流、照射時間（ｍＡｓ値）等）に応じた電圧を放射線源１３に印加することが可能に構成されている。
放射線源１３（管球）は、図示しない回転陽極やフィラメント等を有している。そして、ジェネレーター１１から電圧が印加されると、フィラメントが印加された電圧に応じた電子ビームを回転陽極に向けて照射し、回転陽極が電子ビームの強度に応じた線量の放射線Ｘ（Ｘ線等）を生成するようになっている。
【００１３】
なお、図１には、曝射スイッチ１２がジェネレーター１１に接続されたものを例示したが、曝射スイッチ１２は、ジェネレーター１１に接続される他の装置（例えば図示しない操作卓）に備えられていてもよい。
また、放射線照射装置１は、撮影室内に据え付けてもよいし、回診車等に組み込むことで移動可能に構成してもよい。
【００１４】
撮影装置２は、外部の装置（例えばコンソール３）と有線又は無線で通信可能となっている。
そして、撮影装置２は、外部から受ける放射線に応じた放射線画像の画像データを生成し、それをコンソール３へ送信することが可能となっている。
なお、撮影装置２の詳細については後述する。
【００１５】
コンソール３は、ＰＣや携帯端末又は専用の装置によって構成されており、放射線照射装置１や撮影装置２等と有線又は無線で通信可能となっている。
そして、コンソール３は、撮影装置２から有線又は無線にて画像データを受信し、当該画像データに所定の画像処理を施したり、当該画像データに基づく診断用画像を表示部に表示したりすることが可能となっている。
また、コンソール３は、撮影装置２から受信した画像データに撮影オーダー情報（被検者情報（氏名やＩＤ）、撮影部位、撮影方法等）を紐づける機能を有している。
【００１６】
〔放射線画像撮影装置の構成〕
次に、上記放射線撮影システム１００を構成する撮影装置２の詳細について説明する。図２は撮影装置２の斜視図、図３は撮影装置２の電気的構成を表すブロック図である。
なお、図２には、撮影装置２として、パネル状をした可搬型のものを例示したが、本発明は室内に据え付けて用いる固定型のものに適用することも可能である。
【００１７】
撮影装置２は、図２に示したように筐体２ａを備え、この筐体２ａの中には、図３に示した制御部２１や、放射線検出部２２、読出し部２３、通信部２４、記憶部２５、各部２１〜２５を接続するバス２６等を備えている。
なお、撮影装置２を可搬型とする場合には、図示しないバッテリーを内蔵し、バッテリーから各部２１〜２５へ電力を供給するようにするのが好ましい。
また、筐体２ａの表面（例えば側面）には、図２に示したように、ユーザーインターフェース部（以下、ＵＩ部２７と称す。）が設けられている。ＵＩ部２７には、図４に示したように。電源スイッチ２７ａや、バッテリー残量表示部２７ｂ、通信状態表示部２７ｃ等が設けられている。
【００１８】
制御部２１は、ＣＰＵ、ＲＡＭ等で撮影装置２の各部の動作を統括的に制御するように構成されている。具体的には、電源スイッチ２７ａがオンにされたことや、放射線照射装置１やコンソール３から所定の制御信号を受信したこと、放射線照射装置１から放射線を受けたこと等を契機として、記憶部２５に記憶されている各種処理プログラムを読出してＲＡＭに展開し、当該処理プログラムに従って各種処理を実行する。
【００１９】
放射線検出部２２は、外部から放射線を受けることで放射線の線量に応じた量の電荷を直接的又は間接的に生成する放射線検出素子、及び各放射線検出素子と配線との間に設けられ放射線検出素子と配線との間の通電が可能なオン状態又は通電が不能なオフ状態に切り替え可能なスイッチ素子を有する画素が二次元状に複数配列された基板を有するものであればよく、従来公知のものを用いることができる。
すなわち、撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
【００２０】
読出し部２３は、複数の放射線検知素子にそれぞれ蓄積された電荷量を信号値として読出し、各信号値に基づいて放射線画像の画像データを生成することが可能に構成されていればよく、従来公知のものを用いることができる。
【００２１】
通信部２４は、ネットワークインターフェース等により構成され、ＬＡＮ（Local Area Network）、ＷＡＮ（Wide Area Network）、インターネット等の通信ネットワークを介して接続された外部の装置（例えばコンソール３）と通信することが可能となっている。
通信部２４は、有線通信を行うためのケーブルを差し込むことが可能なコネクター２４ａを有している。
すなわち、通信部２４は、本発明における通信手段をなす。
【００２２】
記憶部２５は、ＨＤＤ（Hard Disk Drive）や半導体メモリー等により構成され、各種画像処理プログラムを含む各種処理プログラム、当該プログラムの実行に必要なパラメーターやファイル等を記憶している。
【００２３】
このように構成された撮影装置２の制御部２１は、記憶部２５に記憶されている処理プログラムに従って以下のような動作をする。
例えば、制御部２１は、撮影装置２がコンソール３と接続されているときに、コンソール３から通信部２４を介してメモリー撮影モード（詳細後述）で撮影を行う際の撮影条件（蓄積時間、放射線検出感度、ビニング等）を受信し、それを設定する機能を有している。
【００２４】
また、制御部２１は、放射線検出部２２のスイッチ素子をオフ状態にして放射線検出素子に電荷を蓄積させたり、スイッチ素子をオン状態にして放射線検出素子に蓄積されていた電荷を読出し部２３へ放出させたりする機能を有している。
また、読出し部２３が出力した複数の信号値に基づいて放射線画像の画像データを生成する機能を有している。
すなわち、制御部２１、放射線検出部２２及び読出し部２３は、本発明における画像生成手段をなす。
【００２５】
また、制御部２１は、自身を通常撮影モード、又はメモリー撮影モードで動作させる機能を有している。
ここで、「通常撮影モード」とは、外部の装置（コンソール３）から制御信号を受信したことに基づいて画像データを生成する動作モードである。
また、「メモリー撮影モード」とは、放射線を検出したことに基づいて自動的に画像データを生成する撮影モードである。メモリー撮影モードでは、画像データの生成を終えると自動的に曝射待機状態へと遷移する。このため、コンソール３による制御が無くても繰り返しの撮影が可能である。すなわち、静止画撮影だけでなく、１回の撮影操作（曝射スイッチ１２の押下）に基づいて、撮影装置２が電荷の蓄積と信号値の読み出しを短時間で複数回繰り返すことにより、放射線照射装置１から照射された放射線に基づく一連の複数の画像データを繰り返し生成するシリアル撮影を行うことも可能である。
【００２６】
また、制御部２１は、複数種類の所定条件がそれぞれ成立したか否かを並行して判断する機能を有している。
所定条件としては、例えば、
・コンソールと通信できないこと（コンソールが近傍に存在しないこと）
・自身がメモリー撮影モードによる撮影専用の撮影室内にいること
・自身メモリー撮影モードに対応する設定がなされた放射線照射装置の近傍に位置していること
等が挙げられ、このうちの少なくとも一つが成立したか否かを判定するようにする。成立した所定条件が多ければ多いほど信憑性の高い判定となる。
【００２７】
また、制御部２１は、通常撮影モードにおいて上記複数の所定条件のうちの少なくともいずれかが成立したと判断したことに基づいて、動作モードを、通常撮影モードからメモリー撮影モードへ切り替える機能を有している。
具体的には、電源スイッチ２７ａがオンにされた後、制御部２１は、図５に示したように、まず、撮影モードを通常撮影モードに設定する（ステップＳ１）。そして、複数の所定条件が成立したか否かをそれぞれ判定する（ステップＳ２）。
このステップＳ２は、複数の所定条件の少なくとも一つが成立したと判定するまで繰り返される。そして、所定条件が成立したと判定した場合には（ステップＳ２；Ｙｅｓ）、動作モードをメモリー撮影モードに切り替える（ステップＳ３）。
このような動作をする本実施形態の制御部２１は、本発明における条件判断手段及び動作制御手段をなす。
なお、メモリー撮影モードから通常撮影モードへ切り替えられた後は、ステップＳ２，Ｓ３のみ行われる。
【００２８】
また、制御部２１は、生成した画像データを記憶部２５に記憶する機能を有している。本実施形態においては、メモリー撮影モードにて撮影を行った場合に生成される画像データを記憶する。
すなわち、制御部２１及び記憶部２５は、本発明における画像記憶手段をなす。
【００２９】
また、制御部２１は、撮影装置２がコンソール３と接続されているときに、画像データを含む各種情報や信号等を、通信部２４を介して外部の装置（コンソール３）へ送信する機能を有している。
【００３０】
なお、本実施形態においては、ユーザーが操作可能な操作手段を備え、制御部２１に、複数の所定条件又は他の所定条件が成立していないと判断した場合であっても、操作手段に所定操作がなされた場合には撮影モードを切り替えるようにしてもよい。
具体的には、ＵＩ部２７に、例えば図４に示したような操作手段としてのモード切替スイッチ２７ｄを設けるとともに、制御部２１に、図６に示したような処理を実行する機能を持たせる。
【００３１】
すなわち、上記ステップＳ２において、所定条件が成立していないと判定した場合（ステップＳ２；Ｎｏ）は、操作手段に所定操作がなされた（モード切替スイッチ２７ｄが所定時間長押しされた）か否かを判定する（ステップＳ４）。このステップＳ４において、所定操作がなされていないと判定した場合には（ステップＳ４；Ｎｏ）は、ステップＳ２の処理へ戻る。一方、ステップＳ４において、所定操作がなされたと判定した場合には（ステップＳ４；Ｙｅｓ）は、ステップＳ３の処理（メモリー撮影モードへの切り替え）へ移行する。
このようにすれば、撮影装置２がメモリー撮影の専用環境にない場合であっても、メモリー撮影モードにて撮影を行うことができる。
【００３２】
また、本実施形態においては、制御部２１に、メモリー撮影モードにおいて所定条件とは異なる他の所定条件が成立したと判断したことに基づいて、動作モードを、メモリー撮影モードから通常撮影モードへ切り替える機能を持たせるのが好ましい。
この場合、他の所定条件としては、例えば、
・撮影装置２がコンソール３と有線接続されたこと（例えば図７（ａ）に示したようにコネクター２４ａにケーブル４が接続されたこと、又は図７（ｂ）に示したように撮影装置２がクレードル５に差し込まれたこと）
・ＵＩ部２７に所定操作（例えばモード切替スイッチ２７ｄ（図４参照）の長押し）がなされたこと、
等が挙げられ、このうちのいずれかが成立したか否かを判定するようにする。
【００３３】
また、本実施形態においては、設定されている動作モードを報知する報知手段を備えるのが好ましい。
具体的には、例えば図８に示したように、モード切替スイッチ２７ｄの色を動作モードに応じて変化させたりするとよい。
このようにすれば、現在設定されている動作モードを容易に把握することができる。
【００３４】
以上説明してきたように、本実施形態に係る放射線撮影装置２は、外部の放射線照射装置１から放射線Ｘを受けることで放射線画像の画像データを生成する画像生成手段（制御部２１、放射線検出部２２、読出し部２３）と、画像生成手段が生成した画像データを記憶することが可能な画像記憶手段（制御部２１、記憶部２５）と、外部の装置（コンソール３）と通信することが可能な通信手段（制御部２１、通信部２４）と、画像生成手段を、外部の装置から制御信号を受信したことに基づいて画像データを生成する通常撮影モード、又は放射線Ｘを検出したことに基づいて自動的に画像データを生成するメモリー撮影モードで動作させることが可能な動作制御手段（制御部２１）と、複数種類の所定条件が成立したか否かをそれぞれ判断することが可能な条件判断手段（制御部２１）と、を備え、動作制御手段は、前記通常撮影モードにおいて所定条件が成立したと条件検知手段が判断したことに基づいて、画像生成手段の動作モードを、通常撮影モードからメモリー撮影モードへ切り替えるものとなっている。
【００３５】
こうすることで、メモリー撮影モードへ切り替える契機となる所定条件の成立を複数並行して判断するため、撮影モードの切り替えをより確実に行うことができる。
【実施例】
【００３６】
以上、本発明を実施形態に即して説明してきたが、本発明が上記実施形態に限定されず、本発明の趣旨を逸脱しない限り、適宜変更可能であることは言うまでもない。
以下、上記実施形態において新たに生じ得る課題とそれを解決するためのより具体的な実施例について説明する。
【００３７】
（実施例１）
通常撮影モードにおいて、メモリー撮影モードへ切り替える条件が整った場合（上記実施形態における所定条件が成立したと判断した場合や、操作手段への所定操作を検出した場合）であっても、例えば、撮影装置２の状態に何らかの問題があり、メモリー撮影がうまくいかない場合がある。
具体的には、内蔵しているバッテリーの電力が残り少なくメモリー撮影の途中で撮影装置２が停止してしまう、記憶部２５の記憶容量が残り少なく生成した画像データが保存されない、撮影装置２の内部が破損していて生成した画像データに不具合が生じる、といったことが考えられる。
【００３８】
このような課題に鑑み、上記実施形態において、メモリー撮影モードへ切り替える条件が整っていても撮影装置２に問題がある場合には、メモリー撮影モードへの切り替えを規制するようにしてもよい。
具体的には、制御部２１に、撮影装置２の各部の状態を監視する機能を持たせるとともに、例えば図９に示したような処理を行う機能を持たせる。
【００３９】
すなわち、ステップＳ２において、所定条件が成立したと判断した場合（ステップＳ２；Ｙｅｓ）、又は操作手段に所定操作（モード着替スイッチ２７ｄの長押し）がなされたことを検出した場合（ステップＳ４；Ｙｅｓ）に、撮影装置２の状態がメモリー撮影を問題なく行うことのできる状態であるか否かを判定する（ステップＳ５）。このステップＳ５において、メモリー撮影を問題なく行うことのできる状態ではないと判定した場合（ステップＳ５；Ｎｏ）は、ステップＳ２の処理へ戻る。一方、ステップＳ５において、メモリー撮影を問題なく行うことのできる状態であると判定した場合には（ステップＳ５；Ｙｅｓ）は、ステップＳ３の処理（メモリー撮影モードへの切り替え）へ移行する。
このようにすれば、撮影装置２の問題により、メモリー撮影がうまくいかなくなってしまうのを防ぐことができる。
【００４０】
なお、上記実施例１において、ＵＩ部２７に、例えば図４に示したようなドット表示部２７ｅを備えるとともに、図９に示した処理を例えば図１０に示したような処理に変更するようにしてもよい。すなわち、ステップＳ５において、メモリー撮影を問題なく行うことのできる状態ではないと判定した場合（ステップＳ５；Ｎｏ）は、撮影装置２に問題がある旨のエラー表示をドット表示部２７ｅに表示する（ステップＳ６）ようにする。
【００４１】
その際、エラー表示の内容を、単にエラーの有無のみとするのではなく、例えば図１１に示したように、数字、アルファベット等を用いてエラーの種別を表示するようにしてもよい。
このようにすれば、ユーザーが撮影装置２の問題を把握することができるため、メモリー撮影がうまくいかなくなってしまうのを防ぐことができる。
【００４２】
（実施例２）
コンソールが接続されている状態であっても、メモリー撮影モードにて撮影を行う場合が考えられる。そのような場合、撮影装置２が、画像データを、放射線の照射を検知したことに基づいて行うとともに、コンソール３から制御信号を受信したことに基づいても行うこととなり、メモリー撮影がうまくいかなくなってしまう可能性がある。
【００４３】
このような課題に鑑み、上記実施形態において、制御部２１に、撮影モードをメモリー撮影モードに切り替えたことに基づいて、コンソール３との通信を遮断する機能を持たせるようにしてもよい。
このようにすれば、放射線の照射を検知したことのみに基づいてメモリー撮影が行われるので、メモリー撮影がうまくいかなくなってしまうのを防ぐことができる。
【００４４】
（実施例３）
撮影装置は、生成した画像データをコンソール３に転送した後は、画像データを保存しておく必要が無くなるため、画像データを揮発性メモリーに記憶するよう構成されていることが多い。
一方、メモリー撮影モードにて撮影を行う際は、撮影装置２がコンソール３に接続されていないことが多いため、撮影した画像をその場で確認することができず、後でコンソールに接続してから確認することになる。
このような揮発メモリーに画像データを記憶する撮影装置でメモリー撮影を行うと、撮影後、コンソール３に画像データを転送するまでの間に、撮影スイッチの電源をオフにする、あるいはバッテリーが切れる等して、記憶していた画像データが消去されてしまう可能性がある。
【００４５】
このような課題に鑑み、記憶部２５を、揮発性メモリー及び不揮発性メモリーで構成し、通常撮影モードにて生成した画像データは揮発性メモリーに記憶し、メモリー撮影モードにて生成した画像データは不揮発性メモリーに記憶するようにしてもよい。
なお、通常撮影モードにて生成した画像データとメモリー撮影モードにて生成した画像データの両方を不揮発性メモリーに記憶するようにしてもよい。
このようにすれば、メモリー撮影モードにて生成した画像データがコンソールに接続されるまでの間に消去されてしまうのを防ぐことができる。
【００４６】
（実施例４）
上記実施形態のような、メモリー撮影モードを有する撮影装置を用いた撮影では、まず、撮影装置２が自動的に曝射待機状態に遷移し、そこに放射線照射装置１から放射線が照射されると、画像データを生成し、それを記憶部２５に記憶してから次撮影の準備に入る、という流れで動作するのが一般的である。
しかしながら、画像データを記憶部に記憶してから次撮影の準備に入るのでは、次撮影を行うまでに時間がかかってしまうという課題があった。
【００４７】
このような課題に鑑み、上記実施形態において、制御部２１に、例えば図１２に示したような処理を実行する機能を持たせるようにしてもよい。すなわち、放射線の照射を検知した後（ステップＳ１１；Ｙｅｓ）、画像データを生成する（ステップＳ１２）。そして、画像データの保存（ステップＳ１３）と次撮影の準備（ステップＳ１４）を並行して行う。
このようにすれば、メモリー撮影モードにおける次撮影までの時間を短縮することができる。
【００４８】
（実施例５）
撮影装置２の記憶部２５の記憶容量、すなわち記憶できる画像データの数には限りがあるため、撮影においては、このことを注意しておく必要がある。コンソール３に接続される通常撮影モードでは、コンソールにおいて撮影枚数を管理することが可能であるが、上記実施形態の撮影装置２を用いてメモリー撮影モードにて撮影を行う場合、撮影枚数を把握することができず、保存できる画像データの上限数を超えて撮影が行われ、被検者が無駄に被曝してしまう可能性がある。
【００４９】
このような課題に鑑み、撮影装置２に、メモリー撮影モードで撮影した画像の枚数（記憶部に記憶している画像データのファイル数）を報知する報知手段を設けるようにしてもよい。
具体的には、ＵＩ部２７に、例えばドット表示部２７ｅ（図４参照）を設け、例えば図１３（ａ）に示したように、撮影した枚数を数字Ｎで表示するようにする。
このようにすれば、コンソール３が接続されていないあるいは存在しない環境で撮影を行う場合であっても、ユーザーは撮影枚数を容易に把握することができる。
【００５０】
なお、ドット表示部２７ｅの表示スペースは限られるため、１０枚以上（２桁）の枚数を表示する場合には、例えば図１３（ｂ）〜（ｄ）に示したように、ドット表示部２７ｅの一部（例えば下部）において１０の位の数を発光するドットＤ１の数で表すようにしてもよい。すなわち、図１３（ｂ）は１５枚撮影された場合、図１３（ｃ）は３５枚撮影された場合を表す。
なお、図１３（ｄ）のように、１０の位を表すドットＤ１とは別の場所において発光するドットＤ２によって５０枚を表すようにしてもよい。すなわち、図１３（ｄ）は、１０の位のドット表示と合わせて８５枚撮影された場合を表す。
【００５１】
（実施例６）
撮影装置やコンソールは、行った動作のログを蓄積するよう構成されているのが一般的である。通常撮影モードでは、撮影装置２とコンソール３とが接続されているため、撮影装置が蓄積するログとコンソール３が蓄積するログとは対応が取られるが、メモリー撮影モードでは、撮影装置２がコンソール３から独立して動作するため、例えば、撮影装置２のログに基づく時刻と、コンソール３のログに基づく時刻とがずれてしまう場合がある。このような状態で再び撮影装置２とコンソール３が接続されると、動作に不具合を生じてしまう可能性がある。
【００５２】
このような課題に鑑み、撮影装置２の記憶部２５にあるログの記憶領域を二つの領域に分け、通常撮影モードにおいて生成したログと、メモリー撮影モードにおいて生成したログを別々に蓄積するようにしてもよい。
このようにすれば、ログを撮影モード毎に管理できるため、メモリー撮影時に撮影装置２のログとコンソール３のログとにずれに起因する不具合を生じにくくすることができる。
【００５３】
（実施例７）
上記実施形態において、メモリー撮影モードにて撮影を行った後は、撮影装置２をコンソール３と接続し、撮影装置２内に保存されている画像データをコンソール３へ送信することとなるが、リアルタイムでコンソール３に画像データを転送する通常撮影モードと異なり、メモリー撮影モードでは撮影した画像を後でまとめて転送するため、画像データが何時撮影されたものであるのか分からなくなってしまう可能性がある。
【００５４】
このような課題に鑑み、上記実施形態において、画像データを記憶する際に、撮影時刻を併せて保存するようにしてもよい。
このようにすれば、メモリー撮影モードにて生成されコンソールに転送された画像データが何時撮影されたものであるかを明確にすることができる。
【００５５】
（実施例８）
上記実施形態において、メモリー撮影モードで撮影した後は、撮影装置２をコンソール３と接続し、撮影装置２内に保存されている画像データをコンソール３へ送信することとなる。そして、コンソール３では、受信した画像データを撮影オーダー情報と紐づけることになるが、リアルタイムでコンソール３に画像データを転送する通常撮影モードと異なり、メモリー撮影モードでは撮影した画像を後でまとめて転送するため、紐づけが困難かつ曖昧になってしまう可能性がある。
【００５６】
このような課題に鑑み、上記実施形態において、メモリー撮影モードで撮影して得られた画像データを記憶部に保存する際に、付帯情報を併せて保存するようにしてもよい。
付帯情報としては、画像番号や、撮影時刻、撮影条件等が挙げられる。
このようにすれば、メモリー撮影モードにて生成されコンソールに転送された画像データと撮影オーダー情報との紐づけを容易かつ正確に行うことができる。
【００５７】
（実施例９）
撮影装置は、コンソール３へ画像データを送信した後、記憶部２５に記憶していた画像データを消去するように構成されているのが一般的であるが、コンソール３へ転送した画像データを順次消去してしまうと、例えば、撮影装置とコンソール３との間の通信状態が悪く、コンソール３に画像データが転送されていないのに、撮影装置２内の画像データが消去されてしまう可能性がある。
【００５８】
このような課題に鑑み、画像データの転送を全て終えてから、記憶部２５の画像データを消去するようにしてもよい。
具体的には、制御部２１に、記憶部に記憶されている画像データの総数をカウントする機能や、コンソールから画像データを受信した旨の確認信号を受信する機能、コンソールから確認信号を受信した回数と画像データの層数とが等しくなったことに基づいて記憶部２５から画像データを消去する機能等を持たせる。
このようにすれば、コンソール３に画像データが転送されていないのに、撮影装置２内の画像データが消去されてしまうのを防ぐことができる。
【００５９】
（実施例１０）
上記実施形態において、撮影装置２を可搬型とする場合、撮影装置２の持ち運び中、誤って撮影装置２を落下させてしまい、例えば放射線検出部２２を構成するセンサー基板等を破損させてしまう場合がある。内部の破損は検知しにくいため、撮影装置２が外見上動作してしまうと、ユーザーが破損に気づかないまま撮影を行ってしまい、得られた画像データに不具合が見つかり、再撮影が必要となってしまう可能性がある。
【００６０】
このような課題に鑑み、メモリー撮影モードとなっている撮影装置２に衝撃が加わったことを契機として通常撮影モードに切り替えるようにしてもよい。
具体的には、撮影装置２に加速度センサーや、筐体２ａの変形を検知するひずみゲージ等を備え、制御部２１に、加速度センサー等から受信した信号値の大きさを所定の閾値と比較する機能や、メモリー撮影モードにおいて信号値が閾値以上であると判定した場合に、通常撮影モードに切り替える機能を持たせる。
このようにすれば、撮影装置２の内部が損傷した状態で誤って撮影を行ってしまい、無駄に被曝してしまうのを防ぐことができる。
【００６１】
（実施例１１）
上記実施形態において、撮影装置２を内蔵しているバッテリーで動作する可搬型とする場合、バッテリー残量が十分でない状態でメモリー撮影モードにて撮影を開始すると、途中でバッテリーが切れて撮影装置２が動作を停止し、所望の放射線画像が得られなくなってしまう可能性がある。その場合、再撮影が必要となり、被検者が無駄に被曝してしまうこととなる。
【００６２】
このような課題に鑑み、バッテリー残量が所定量以下となった場合に、メモリー撮影モードから通常撮影モードに切り替えるようにしてもよい。
コンソール３は、撮影装置２のバッテリー残量に応じて撮影の中止等の指示を撮影装置２へ送信することができるため、このようにすれば、撮影の途中でバッテリーが切れて撮影装置２が動作を停止し、所望の放射線画像が得られなくなってしまうのを防ぐことができる。
【００６３】
（実施例１２）
上記実施形態において、コンソール３が接続されていないあるいは存在しない環境で撮影を行う場合、撮影装置の状態（撮影モードや現在行っている動作）を把握することができない。
このような課題に鑑み、撮影装置２に自身の状態を報知する報知手段を設けるようにしてもよい。
具体的には、ＵＩ部２７に、例えば図４に示したような、撮影装置２の現在の動作状態（撮影中、待機中）に応じて態様（例えば色）を変化させる動作状態表示部２７ｆを設ける。
このようにすれば、コンソールが接続されていないあるいは存在しない環境で撮影を行う場合であっても、ユーザーは撮影装置２の状態を容易に把握することができる。
【００６４】
（実施例１３）
上記実施形態において、どのような状態であっても撮影モードの切り替えを可能としてしまうと、例えば、メモリー撮影モードで撮影を行っている最中に、何らかの理由でボタンが長押しされ、撮影モードが途中から通常撮影モードに切り替わり、それまでメモリー撮影モードで行った撮影で得られた画像データが無駄になってしまう可能性がある。
【００６５】
このような課題に鑑み、メモリー撮影モードで撮影を行っている最中は、通常撮影モードへの切り替えを規制するようにしてもよい。
なお、通常撮影モードで撮影を行っている最中に、メモリー撮影モードへの切り替えを規制するようにしてもよい。
このようにすれば、途中で撮影モードが切り替わり、それまで行った撮影で得られた画像データが無駄になってしまうのを防ぐことができる。
【符号の説明】
【００６６】
１００  放射線撮影システム
１  放射線照射装置
１１  ジェネレーター
１２  曝射スイッチ
１３  放射線源
２  放射線撮影装置
２ａ  筐体
２１  制御部
２２  放射線検出部
２３  読出し部
２４  通信部
２４ａ  コネクター
２５  記憶部
２６  バス
２７  ユーザーインターフェース部
２７ａ  電源スイッチ
２７ｂ  バッテリー残量表示部
２７ｃ  通信状態表示部
２７ｄ  モード切替スイッチ
２７ｅ  ドット表示部
２７ｆ  動作状態表示部
３  コンソール
４  ケーブル
５  クレードル
Ｘ  放射線
【図１】
2019126523.tif 000003
【図２】
2019126523.tif 000004
【図３】
2019126523.tif 000005
【図４】
2019126523.tif 000006
【図５】
2019126523.tif 000007
【図６】
2019126523.tif 000008
【図７】
2019126523.tif 000009
【図８】
2019126523.tif 000010
【図９】
2019126523.tif 000011
【図１０】
2019126523.tif 000012
【図１１】
2019126523.tif 000013
【図１２】
2019126523.tif 000014
【図１３】
2019126523.tif 000015